(57)【要約】【課題】折り方を変えることで形体を変更可能とし、別の用途に再利用が可能な収納箱を提供する。【解決手段】１つのブランクシートを折って組み立てる略直方体の収納箱において、折り方を変えることで、６面を閉塞する第１形体の収納箱１と、上面が開口である第２形体の収納箱１´とに変更自在である収納箱であって、第１形体の収納箱１に備える上面３は開閉自在とする。【選択図】図４
2012030827.tif 000002
【特許請求の範囲】
【請求項１】
１つのブランクシートを折って組み立てる略直方体の収納箱において、
前記ブランクシートが、
矩形の底面パネルと、
該底面パネルに連続して備える矩形の一対の側面パネルと、
該側面パネルの、前記底面パネルと反対側に連続して備える略矩形の第１パネルと、
該第１パネルの、前記側面パネルと反対側に連続して備える第２パネルと、
前記底面パネルに連続して備える矩形の一対の別の側面パネルと、
該別の側面パネルの、前記底面パネルと反対側に連続して備える矩形の第３パネルと、
該第３パネルの、前記別の側面パネルと反対側に連続して備える第４パネルと、
前記第３パネルの、一対の側辺にそれぞれ連続して備える第５パネルとで構成された収納箱であって、
折り方を変えることによって、
前記第１パネル、前記第２パネル、前記第３パネル、前記第４パネル、前記第５パネルが上面を構成する第１形体と、
前記第１パネル、前記第２パネル、前記第３パネル、前記第４パネル、前記第５パネルが側面を構成するとともに、上面が開口である第２形体とに変更自在である収納箱であって、
前記第１形体に備える上面は開閉自在であることを特徴とする、収納箱。
【請求項２】
前記第２形体が前記第１形体に比べて深底であることを特徴とする、請求項１に記載の収納箱。
【請求項３】
前記第２形体の一対の側面の中央付近に手を挿入するための開口部を備えることを特徴とする、請求項２に記載の収納箱。
【請求項４】
前記第１形体の表面が前記ブランクシートの表面で形成されるとともに、前記第２形体の表面が前記ブランクシートの裏面で形成される収納箱であって、
前記ブランクシートの表面と裏面とで柄または色が異なることを特徴とする、請求項１に記載の収納箱。
【請求項５】
前記第１形体と前記第２形体とは下面を共有することを特徴とする、請求項１に記載の収納箱。
【請求項６】
略直角に隣接する２組の側面どおしを連結するための係合突起と、該係合突起を差し込んで係合させるための差込部とを備え、
前記係合突起を一方の一組の側面に備えるとともに、前記差込部を他方の一組の側面に備え、前記係合突起を前記差込部に係合させて前記２組の側面を連結させることを特徴とする、請求項１に記載の収納箱。
【発明の詳細な説明】
【技術分野】
【０００１】
本発明は、１つのブランクシートを折って組み立てる略直方体の収納箱に関する。
【背景技術】
【０００２】
従来、１つのブランクシートを折って組み立てる略直方体の収納箱、例えば、ティッシュペーパーを収納するティッシュカートンは、収納されているティッシュを使い切ったら、廃棄されていた。これに対して、本来の目的に使用した後、別の用途に再利用することができる収納箱が提案されている（例えば特許文献１）。特許文献１では、ティッシュカートンにペーパークラフトの各部品が形成されている。
【先行技術文献】
【特許文献】
【０００３】
【特許文献１】特開２００８−３０７６７号公報
【発明の概要】
【発明が解決しようとする課題】
【０００４】
一方、使用後の収納箱を再利用する動きもある。例えば、電化製品を購入した際の深底のダンボール箱（収納箱）に読み終えた本など、さまざまなものを収納することが可能である。しかし、例えば、ギフトカードを収納して配送するための収納箱においては、浅底の形状がゆえに、再利用の可能性がほとんどないという問題があった。
【０００５】
そこでこの発明の目的は、折り方を変えることで形体を変更可能とし、別の用途に再利用が可能な収納箱を提供することにある。
【課題を解決するための手段】
【０００６】
このため請求項１に記載の発明は、１つのブランクシートを折って組み立てる略直方体の収納箱において、
前記ブランクシートが、
矩形の底面パネルと、
該底面パネルに連続して備える矩形の一対の側面パネルと、
該側面パネルの、前記底面パネルと反対側に連続して備える略矩形の第１パネルと、
該第１パネルの、前記側面パネルと反対側に連続して備える第２パネルと、
前記底面パネルに連続して備える矩形の一対の別の側面パネルと、
該別の側面パネルの、前記底面パネルと反対側に連続して備える矩形の第３パネルと、
該第３パネルの、前記別の側面パネルと反対側に連続して備える第４パネルと、
前記第３パネルの、一対の側辺にそれぞれ連続して備える第５パネルとで構成された収納箱であって、
折り方を変えることによって、
前記第１パネル、前記第２パネル、前記第３パネル、前記第４パネル、前記第５パネルが上面を構成する第１形体と、
前記第１パネル、前記第２パネル、前記第３パネル、前記第４パネル、前記第５パネルが側面を構成するとともに、上面が開口である第２形体とに変更自在である収納箱であって、
前記第１形体に備える上面は開閉自在であることを特徴とする。
【０００７】
請求項２に記載の発明は、請求項１に記載の収納箱において、前記第２形体が前記第１形体に比べて深底であることを特徴とする。
【０００８】
請求項３に記載の発明は、請求項２に記載の収納箱において、前記第２形体の一対の側面の中央付近に手を挿入するための開口部を備えることを特徴とする。
【０００９】
請求項４に記載の発明は、請求項１に記載の収納箱において、前記第１形体の表面が前記ブランクシートの表面で形成されるとともに、前記第２形体の表面が前記ブランクシートの裏面で形成される収納箱であって、
前記ブランクシートの表面と裏面とで柄または色が異なることを特徴とする。
【００１０】
請求項５に記載の発明は、請求項１に記載の収納箱において、前記第１形体と前記第２形体とは下面を共有することを特徴とする。
【００１１】
請求項６に記載の発明は、請求項１に記載の収納箱において、略直角に隣接する２組の側面どおしを連結するための係合突起と、該係合突起を差し込んで係合させるための差込部とを備え、
前記係合突起を一方の一組の側面に備えるとともに、前記差込部を他方の一組の側面に備え、前記係合突起を前記差込部に係合させて前記２組の側面を連結させることを特徴とする。
【発明の効果】
【００１２】
請求項１に記載の発明によれば、１つのブランクシートを折って組み立てる略直方体の収納箱において、ブランクシートが、矩形の底面パネルと、底面パネルに連続して備える矩形の一対の側面パネルと、側面パネルの、底面パネルと反対側に連続して備える略矩形の第１パネルと、第１パネルの、側面パネルと反対側に連続して備える第２パネルと、底面パネルに連続して備える矩形の一対の別の側面パネルと、別の側面パネルの、底面パネルと反対側に連続して備える矩形の第３パネルと、第３パネルの、別の側面パネルと反対側に連続して備える第４パネルと、第３パネルの、一対の側辺にそれぞれ連続して備える第５パネルとで構成された収納箱であって、折り方を変えることによって、第１パネル、第２パネル、第３パネル、第４パネル、第５パネルが上面を構成する第１形体と、第１パネル、第２パネル、第３パネル、第４パネル、第５パネルが側面を構成するとともに、上面が開口である第２形体とに変更自在である収納箱であって、第１形体に備える上面は開閉自在である。したがって、折り方を変えることで形体を変更可能とし、別の用途に再利用が可能な収納箱を提供することができる。
【００１３】
請求項２に記載の発明によれば、第２形体が第１形体に比べて深底であるので、いっそう、再利用の用途の幅が広がる。
【００１４】
請求項３に記載の発明によれば、第２形体の一対の側面の中央付近に手を挿入するための開口部を備えるので、第２形体の深底タイプの収納箱を容易に持ち上げたり、持ち運んだりすることができる。
【００１５】
請求項４に記載の発明によれば、第１形体の表面がブランクシートの表面で形成されるとともに、第２形体の表面がブランクシートの裏面で形成される収納箱であって、ブランクシートの表面と裏面とで柄または色が異なるので、収納箱の用途に合った柄や色を付することができる。
【００１６】
請求項５に記載の発明によれば、第１形体と第２形体とは下面を共有するので、第１形体と第２形体ともに重量のかさむものを収容する場合においても、２つの形体の下面を同時に補強することができ効率的である。
【００１７】
請求項６に記載の発明によれば、略直角に隣接する２組の側面どおしを連結するための係合突起と、係合突起を差し込んで係合させるための差込部とを備え、係合突起を一方の一組の側面に備えるとともに、差込部を他方の一組の側面に備え、係合突起を差込部に係合させて２組の側面を連結させるので、２組の側面を確実に連結することができる。
【図面の簡単な説明】
【００１８】
【図１】この発明の収納箱の一例の展開図である。
【図２】（ａ），（ｂ）は、その収納箱の第一形体の組み立て方を説明するための図である。
【図３】（ａ），（ｂ）は、その収納箱の第一形体の組み立て方をさらに説明するための図である。
【図４】図２，３の組み立て方によって形成された第１形体の収納箱の、（ａ）は表面の斜視図、（ｂ）は裏面の斜視図である。
【図５】（ａ），（ｂ）は、その収納箱の第２形体の組み立て方を説明するための図である。
【図６】（ａ），（ｂ）は、その収納箱の第２形体の組み立て方をさらに説明するための図である。
【図７】図５，６の組み立て方によって形成された収納箱の斜視図である。
【図８】（ａ），（ｂ）は、その一部拡大斜視図である。
【図９】この発明の収納箱の第２例の展開図である。
【図１０】（ａ），（ｂ）は、その収納箱の第１形体の組み立て方を説明するための図である。
【図１１】（ａ），（ｂ）は、その収納箱の第１形体の組み立て方をさらに説明するための図である。
【図１２】図１０，１１の組み立て方によって形成された第１形体の収納箱の、（ａ）は表面の斜視図、（ｂ）は裏面の斜視図である。
【図１３】（ａ），（ｂ）は、その収納箱の第２形体の組み立て方を説明するための図である。
【図１４】（ａ），（ｂ）は、その収納箱の第２形体の組み立て方をさらに説明するための図である。
【図１５】図１３，１４の組み立て方によって形成された収納箱の斜視図である。
【図１６】この発明の収納箱の第３例の展開図である。
【図１７】（ａ），（ｂ）は、その収納箱の第１形体の組み立て方を説明するための図である。
【図１８】（ａ），（ｂ）は、その収納箱の第１形体の組み立て方をさらに説明するための図である。
【図１９】図１７，１８の組み立て方によって形成された第１形体の収納箱の、（ａ）は表面の斜視図、（ｂ）は裏面の斜視図である。
【図２０】（ａ），（ｂ）は、その収納箱の第２形体の組み立て方を説明するための図である。
【図２１】（ａ），（ｂ）は、その収納箱の第２形体の組み立て方をさらに説明するための図である。
【図２２】図２０，２１の組み立て方によって形成された収納箱の、（ａ）は斜視図、（ｂ）は要部拡大図である。
【発明を実施するための形態】
【００１９】
以下、図面を参照しつつ、本発明の実施の形態について説明する。図１には、この発明の収納箱の一例の展開図を示す。なお、この収納箱の展開図は、１枚のブランク紙（ブランクシート）を所定の形に切り抜いて形成したものである（ブランク紙は、板紙、紙を主体とした複合シート、プラスチックシートなど一定の厚みを持った折り曲げ性にすぐれた材料（部材）で形成される）。また、隣接する各パネルは一体に形成されている。
【００２０】
図１の中央には収納箱の底面を構成する矩形の底面パネル１１を備える。底面パネル１１の長辺には、罫線Ｋを介して側面パネル１３，１３の長辺を連続して備える。底面パネル１１の短辺には、罫線Ｋを介して側面パネル１２，１２の長辺を連続して備える。側面パネル１２、側面パネル１３はそれぞれ矩形に形成される。側面パネル１３の長辺は、底面パネル１１の長辺と同一長さであり、側面パネル１２の長辺は底面パネル１１の短辺と同一長さである。また、側面パネル１２と側面パネル１３の短辺は同一長さである。底面パネル１１の四隅には、連接パネルＲをそれぞれ備える。連接パネルＲは、中心角９０度の扇形に形成され、側面パネル１２の短辺と側面パネル１３の短辺にそれぞれ罫線Ｋを介して連続して備える。連接パネルＲの中央には、別の罫線ＫＲを設ける。
【００２１】
側面パネル１３，１３の別の長辺には、罫線Ｋを介して第１パネル１４Ａ，１４Ｂの長辺を連続して備える。第１パネル１４Ａ，１４Ｂは同一形状で、略矩形に形成される。
【００２２】
第１パネル１４Ａの別の長辺には、罫線Ｋを介してマチパネル１５Ａの長辺を連続して備える。マチパネル１５Ａは矩形に形成されるが、マチパネル１５Ａの長辺は、第１パネル１４Ａの長辺より短く形成される。マチパネル１５Ａの別の長辺には、罫線Ｋを介して第２パネル１６Ｂを連続して備える。第２パネル１６Ｂは略６角形に形成される。その側辺の下端にはカギ欠き１７Ａ，１７Ａを備える（なお、第２パネル１６Ｂの側辺に延設してフラップ部を設けてもよい。このフラップ部は、後述するように第２形体の収納箱１´を組み立てる際に、第３パネル２０に沿って配置され、収納箱１´を補強するのに役立つ）。第２パネル１６Ｂの底辺には、罫線Ｋを介して差込片１９を備える。
【００２３】
一方、第１パネル１４Ｂの別の長辺には、罫線Ｋを介してマチパネル１５Ｂの長辺を連続して備える。なお、第１パネル１４Ｂとマチパネル１５Ｂとの間の罫線Ｋのほぼ中央付近には切り込みを形成して、切込部１４ＢＹとする。マチパネル１５Ｂは矩形に形成されるが、マチパネル１５Ｂの長辺は、第１パネル１４Ｂの長辺より短く形成される。マチパネル１５Ｂの別の長辺には、罫線Ｋを介して第２パネル１６Ａの長辺を連続して備える。第２パネル１６Ａは矩形に形成される。第２パネル１６Ａの両側部には、長辺を基端とした切り込みＣ１が形成される。切り込みＣ１は、第２パネル１６Ａの短辺の半分程度かそれよりも短く形成される。切り込みＣ１に連続して（第２パネル１６Ａの反対側の長辺に到達するように）罫線Ｋが形成される。なお、マチパネル１５Ａ，１５Ｂは備えず、第１パネル１４Ａと第２パネル１６Ｂ、第１パネル１４Ｂと第２パネル１６Ａとが連続するように構成してもよい。
【００２４】
側面パネル１２，１２の別の長辺には、それぞれ罫線Ｋを介して第３パネル２０，２０の長辺を連続して備える。第３パネル２０は、矩形に形成される。第３パネル２０の別の長辺には、罫線Ｋを介してマチパネル２１の長辺を連続して備える。マチパネル２１の別の長辺には、罫線Ｋを介して第４パネル２２の長辺を連続して備える。第４パネル２２は略矩形に形成されるが、その短辺の外端には矩形の突起２２Ｐを備える（この突起２２Ｐは、収納箱を組み立てる際に、第２パネル１６Ａの切り込みＣ１、第２パネル１６Ｂの切り欠き１７Ａとそれぞれ係合するものである）。なお、マチパネル２１は備えず、第３パネル２０と第４パネル２２とが連続するように構成してもよい。
【００２５】
第３パネル２０の一方の短辺（側辺）には、罫線Ｋを介して第５パネル２３Ａの短辺を連続して備える。第５パネル２３Ａは略矩形に形成されるが、図中で右下隅（第５パネル２３Ａの前端部）にはフック（掛止部）２３ＡＣを設ける。一方、第３パネル２０の他方の短辺（側辺）には、罫線Ｋを介して第５パネル２３Ｂの短辺を連続して備える。第５パネル２３Ｂは略矩形に形成されるが、図中で右上隅（第５パネル２３Ｂの前端部）にはフック（掛止部）２３ＢＣを設ける。第５パネル２３Ｂは第５パネル２３Ａと同一の構成である。
【００２６】
次に、このような構成の展開図を組み立てて第１形体の収納箱１を形成する方法について説明する。まず、左右にある、第５パネル２３Ａ，２３Ｂを罫線Ｋにおいて第３パネル２０に向けて折り畳む（図２（ａ））。次に、左右の第３パネル２０を罫線Ｋにおいて側面パネル１２に向けて略直角となるように折るとともに、側面パネル１２を罫線Ｋにおいて底面パネル１１に向けて略直角となるように折る（図２（ｂ））。
【００２７】
これによって、左右の第３パネル２０は底面パネル１１上で重なりあう。このとき、左右どちらの第３パネル２０が上側となってもよい（なお、マチパネル２１、第４パネル２２は罫線Ｋにおいて折り曲げていない。したがって、これらは、第３パネル２０と同一平面上にある）。このとき、連接パネルＲも、罫線Ｋにおいて側面パネル１３に向けて略直角となるように折る。なお、左右の第３パネル２０、マチパネル２１、第４パネル２２、第５パネル２３Ａ，２３Ｂは、第１形体の収納箱１の上面の内側部を構成する。
【００２８】
さらに、第１パネル１４Ｂを罫線Ｋにおいて側面パネル１３に向けて略直角となるように折るとともに、側面パネル１３を罫線Ｋにおいて底面パネル１１に向けて略直角となるように折る（図３（ａ））。このとき、連接パネルＲは、罫線ＫＲが谷折りとなることによって２つ折りとなって箱内に収納される。次に、第１パネル１４Ａを罫線Ｋにおいて側面パネル１３に向けて略直角となるように折るとともに、側面パネル１３を罫線Ｋにおいて底面パネル１１に向けて略直角となるように折る（図３（ｂ））。
【００２９】
これによって、第１パネル１４Ａと第１パネル１４Ｂとが底面パネル１１の上方で重なりあう。このとき、第１パネル１４Ａが第１パネル１４Ｂの上側となる（なお、マチパネル１５Ａ，１５Ｂ、第２パネル１６Ａ、第２パネル１６Ｂは罫線Ｋにおいて折り曲げていない。したがって、これらは、第３パネル２０と同一平面上にある）。そして、差込片１９を罫線Ｋにおいて略直角となるように折り曲げて、切込部１４ＢＹに差し込む。第１パネル１４Ａ，１４Ｂ、マチパネル１５Ａ，１５Ｂ、第２パネル１６Ａ、第２パネル１６Ｂは、第１形体の収納箱１の上面の外側部を構成する。
【００３０】
このようにして、略直方体の第１形体の収納箱１が形成される（図４（ａ），（ｂ））。第１形体の収納箱１は、下面２、上面３、一対の側面４Ａ、一対の別の側面４Ｂによって、６面を閉塞して構成される。ここで図１の展開図との対比をする。下面２は、底面パネル１１によって構成される。上面３は、第１パネル１４Ａ、マチパネル１５Ａ、第２パネル１６Ｂ、および、第１パネル１４Ｂ、マチパネル１５Ｂ、第２パネル１６Ａによって構成される（なお、図４（ａ）では、マチパネル１５Ｂ、第２パネル１６Ａは、第１パネル１４Ａの下側に重なっているため見えない）。一対の側面４Ａ，４Ａは、側面パネル１２，１２によって構成されている。一対の側面４Ｂ，４Ｂは、側面パネル１３，１３によって構成されている。なお、これらの下面２、上面３、側面４Ａ，４Ａ、側面４Ｂ，４Ｂの表面は、図１の展開図の裏面側が現れている。
【００３１】
図４に示す第１形体の収納箱１は、差込片１９を切込部１４ＢＹに差し込んだり、外したりすることで、上面３を自在に開閉することができる。このような構成の第１形体の収納箱１は、浅底タイプであるので、カタログや冊子などを底面パネル１１上に載置して収納することができる。
【００３２】
次に、第１形体の収納箱１の折り方を変えて、第２形体の収納箱１´を形成する方法を説明する。まず、図４の第１形体の収納箱１を開いて解体し、図１の展開図の状態とする。そして、左右の側面パネル１２（およびこれと連続する第３パネル２０、第５パネル２３Ａ，２３Ｂ、マチパネル２１、第４パネル２２）を罫線Ｋにおいて底面パネル１１に向けて略１８０度折り畳む（すなわち、側面パネル１２が底面パネル１１に重なり合うように側面パネル１２を折り畳む）。なお、連接パネルＲも罫線Ｋにおいて側面パネル１３に向けて折り畳む（図５（ａ）。
【００３３】
次に、左右の第３パネル２０を罫線Ｋにおいて側面パネル１２に対して略直角となるように折る（すなわち、第３パネル２０が側面パネル１２に対して起立するように折る。図５（ｂ））。さらに、第５パネル２３Ａ，２３Ｂを罫線Ｋにおいて第３パネル２０に向けて内側に略直角となるように折り、さらに、フック２３ＡＣどうしを掛け合わせて第５パネル２３Ａを連結する。同様にして、フック２３ＢＣどうしを掛け合わせて第５パネル２３Ｂを連結する（図６（ａ））。そして、側面パネル１３，１３を罫線Ｋにおいて底面パネル１１に向けて略直角となるように折る（すなわち、側面パネル１３，１３が起立するように折る）。さらに、マチパネル１５Ａを罫線Ｋにおいて内側に折るとともに、第２パネル１６Ｂを罫線Ｋにおいて内側に略直角に折る。また、マチパネル１５Ｂを罫線Ｋにおいて内側に折るとともに、第２パネル１６Ａを罫線Ｋにおいて内側に略直角に折る（図６（ｂ））。
【００３４】
そして、両方のマチパネル２１，２１を罫線Ｋにおいて第３パネル２０に対して略直角となるように折るとともに、第４パネル２２を罫線Ｋにおいてマチパネル２１に対して略直角となるように折ることで、上面に開口Ｏを有する第２形体の収納箱１´が完成する（図７）。なお、このとき、第４パネル２２の突起２２Ｐは、第２パネル１６Ａの切り込みＣ１に係合させることで、第２パネル１６Ａと第４パネル２２の双方が開かないように規制する（図８（ａ））。同様に、突起２２Ｐを第２パネル１６Ｂの切り欠き１７Ａと係合させることで、第２パネル１６Ｂと第４パネル２２の双方が開かないように規制する。さらに、前述のように、両側の第５パネル２３Ａ同士を連結する際には、一方の第５パネル２３Ａのフック２３ＡＣを他方の第５パネル２３Ａのフック２３ＡＣに上から掛け合わせるようにして掛け止める（図８（ｂ））。なお、第５パネル２３Ｂについても同様である。
【００３５】
このようにして形成された第２形体の収納箱１´は、上面に開口Ｏを有し、かつ、深底タイプであるので、本や小物などを底面パネル１１上に載置して、小型の本箱、小物用整理箱などとして活用することができる。また、第１形体の収納箱１と第２形体の収納箱１´とは、下面を共有していることが特徴である。すなわち、第１形体の収納箱１の下面としても、第２形体の収納箱１´の下面としても下面パネル１１を用いている。このため、たとえば、重量の重いものを収容するような場合には、下面パネル１１のみを補強する（例えば、下面パネル１１の厚みを増すなど）ことで、２つの異なる形体の収容箱を補強することができるという利点がある。
【００３６】
さらに、第２形体の収納箱１´では、側面４Ａ´の外側面を、側面パネル１３および第１パネル１４Ａ（または、第１パネル１４Ｂ）を用いて形成している。一方、側面４Ａ´の内側面を第５パネル２３Ａ（または、第５パネル２３Ｂ）および、第２パネル１６Ａ（第１パネル１４Ｂ側）または第２パネル１６Ｂ（第１パネル１４Ａ側）を用いて形成している。
【００３７】
また、側面４Ｂ´の外側面を第３パネル２０，２０で形成し、内側面上部を第４パネル２２で形成している。なお、側面パネル１２，１２は、底面パネル１１上に畳み重ねることで、底面の一部を構成する。なお、これらの側面４Ａ´、側面４Ｂ´の表面は、図１の展開図の裏面側が現れている。
【００３８】
ところで、上述の例では、１枚のブランク紙の同一面を２つの異なる形体の収納箱、すなわち、第１形体の収納箱１、第２形体の収納箱１´の外側面として用いたが、この発明はこれに限定されるものではない。例えば、ブランク紙の表側を第１形体の収納箱１の表側となるように使用し、ブランク紙の裏側を第２形体の収納箱１´の表側となるように使用してもよい。この場合、第２形体の収納箱１´を組み立てるときに、ブランク紙の表裏を逆転させる。さらに、ブランク紙の表側と裏側に印刷する柄や色を変えることで、用途の違う第１形体の収納箱１、第２形体の収納箱１´に異なる色や柄を付与することができる。例えば、第１形体の収納箱１をカタログギフトを収容するために用いる場合には、シンプルな柄と色をブランク紙の表側に印刷し、第２形体の収納箱１´を小型の本箱として用いる場合には、木目調の柄と色をブランク紙の裏側に印刷する。
【００３９】
なお、第２形体の収納箱１´の上面（開口Ｏ）を横（すなわち、側面４Ａ´を下）にして本箱として利用してもよい。この場合、側面４Ａ´または側面４Ｂ´を底面側とするように配置する。
【００４０】
図９には、この発明の収納箱の第２の例の展開図を示す。なお、この収納箱の展開図は、１枚のブランク紙を所定の形に切り抜いて形成したものである。また、隣接する各パネルは一体に形成されている。
【００４１】
図９の中央には収納箱の底面を構成する矩形の底面パネル１１１を備える。底面パネル１１１の長辺には、罫線Ｋを介して側面パネル１１３，１１３の長辺を連続して備える。底面パネル１１１の短辺には、罫線Ｋを介して側面パネル１１２，１１２の長辺を連続して備える。側面パネル１１２、側面パネル１１３はそれぞれ矩形に形成される。側面パネル１１３の長辺は、底面パネル１１１の長辺と同一長さであり、側面パネル１１２の長辺は底面パネル１１１の短辺と同一長さである。また、側面パネル１１２と側面パネル１１３の短辺は同一長さである。底面パネル１１１の四隅には、連接パネルＲをそれぞれ備える。連接パネルＲは、中心角９０度の扇形に形成され、側面パネル１１２の短辺と側面パネル１１３の短辺にそれぞれ罫線Ｋを介して連続して備える。連接パネルＲの中央には、罫線ＫＲを設ける。
【００４２】
側面パネル１１３，１１３の別の長辺には、罫線Ｋを介して第１パネル１１４Ａ，１１４Ｂの長辺を連続して備える。第１パネル１１４Ａ，１１４Ｂは同一形状で、略矩形に形成される。第１パネル１１４Ｂの中央部の左右には、縦方向に略コの字状に切り込みが形成され、差込部１１４ＢＸを備える。
【００４３】
第１パネル１１４Ａの別の長辺には、罫線Ｋを介してマチパネル１１５Ａの長辺を連続して備える。マチパネル１１５Ａの別の長辺には、罫線Ｋを介して第２パネル１１６Ｂを連続して備える。第２パネル１１６Ｂは略矩形に形成され、両端部には、差込部１１７Ａ，１１７Ａを備える。第２パネル１１６Ｂの両側部には、別の長辺を基端として切り込みＣ１が形成される。切り込みＣ１は、第２パネル１１６Ｂの短辺の半分程度かそれよりも短く形成される。切り込みＣ１に連続して罫線Ｋが形成される。
【００４４】
一方、第１パネル１１４Ｂの別の長辺には、罫線Ｋを介してマチパネル１１５Ｂの長辺を連続して備える。マチパネル１１５Ｂの別の長辺には、罫線Ｋを介して第２パネル１１６Ａの長辺を連続して備える。第２パネル１１６Ａは矩形に形成される。第２パネル１１６Ａの両側部には、別の長辺を基端として切り込みＣ１と罫線Ｋが形成される。切り込みＣ１と罫線Ｋの形状は第２パネル１１６Ｂと同様である。なお、マチパネル１１５Ａ，１１５Ｂは備えず、第１パネル１１４Ａと第２パネル１１６Ｂ、第１パネル１１４Ｂと第２パネル１１６Ａとが連続するように構成してもよい。
【００４５】
側面パネル１１２，１１２の別の長辺には、それぞれ罫線Ｋを介して第３パネル１２０，１２０の長辺を連続して備える。第３パネル１２０は、矩形に形成される。第３パネル１２０の別の長辺には、罫線Ｋを介してマチパネル１２１の長辺を連続して備える。マチパネル１２１の別の長辺には、罫線Ｋを介して第４パネル１２２の長辺を連続して備える。第４パネル１２２は略矩形に形成されるが、その短辺の外端には矩形の突起１２２Ｐを備える（この突起１２２Ｐは、収納箱を組み立てる際に、第２パネル１１６Ａの切り込みＣ１と係合するものである）。なお、マチパネル１２１は備えず、第３パネル１２０と第４パネル１２２とが連続するように構成してもよい。
【００４６】
第３パネル１２０の一方の短辺（側辺）には、罫線Ｋを介して第５パネル１２３Ａの短辺を連続して備える。第５パネル１２３Ａは略矩形に形成されるが、図中で右下隅にはフック（掛止部）１２３ＡＣを設ける。一方、第３パネル１２０の他方の短辺（側辺）には、罫線Ｋを介して第５パネル１２３Ｂの短辺を連続して備える。第５パネル１２３Ｂは略矩形に形成されるが、図中で右上隅にはフック（掛止部）１２３ＢＣを設ける。第５パネル１２３Ｂは第５パネル１２３Ａと同一の構成である。
【００４７】
次に、このような構成の展開図を組み立てて第１形体の収納箱１０１を形成する方法について説明する。まず、左右にある、第５パネル１２３Ａ，１２３Ｂを罫線Ｋにおいて第３パネル１２０に向けて折り畳む（図１０（ａ））。次に、左右の第３パネル１２０を罫線Ｋにおいて側面パネル１１２に向けて略直角となるように折るとともに、側面パネル１１２を罫線Ｋにおいて底面パネル１１に向けて略直角となるように折る（図１０（ｂ））。これによって、左右の第３パネル１２０は底面パネル１１１上で重なりあう。このとき、左右どちらの第３パネル１２０が上側となってもよい（なお、マチパネル１２１、第４パネル１２２は罫線Ｋにおいて折り曲げていない。したがって、これらは、第３パネル１２０と同一平面上にある）。このとき、連接パネルＲも、罫線Ｋにおいて側面パネル１１３に向けて略直角となるように折る。なお、左右の第３パネル１２０、マチパネル１２１、第４パネル１２２、第５パネル１２３Ａ，１２３Ｂは、第１形体の収納箱１０１の上面の内側部を構成する。
【００４８】
さらに、第１パネル１１４Ｂを罫線Ｋにおいて側面パネル１１３に向けて略直角となるように折るとともに、側面パネル１１３を罫線Ｋにおいて底面パネル１１１に向けて略直角となるように折る（図１１（ａ））。このとき、連接パネルＲは、罫線ＫＲが谷折りとなることによって２つ折りとなって箱内に収納される。次に、第１パネル１１４Ａを罫線Ｋにおいて側面パネル１１３に向けて略直角となるように折るとともに、側面パネル１１３を罫線Ｋにおいて底面パネル１１１に向けて略直角となるように折る（図１１（ｂ））。
【００４９】
これによって、第１パネル１１４Ａと第１パネル１１４Ｂとが底面パネル１１１の上方で重なりあう。このとき、第１パネル１１４Ａが第１パネル１１４Ｂが上側となる（なお、マチパネル１１５Ａ，１１５Ｂ、第２パネル１１６Ａ、第２パネル１１６Ｂは罫線Ｋにおいて折り曲げていない。したがって、これらは、第３パネル１２０と同一平面上にある）。そして、差込部１１７Ａ，１１７Ａを、切込部１１４ＢＸ，１１４ＢＸに差し込んで、第１パネル１１４Ａを第１パネル１１４Ｂに掛け止める。なお、第１パネル１１４Ａ，１１４Ｂ、マチパネル１１５Ａ，１１５Ｂ、第２パネル１１６Ａ、第２パネル１１６Ｂは、第１形体の収納箱１０１の上面の外側部を構成する。
【００５０】
このようにして、第１形体の収納箱１０１が形成される（図１２（ａ），（ｂ））。第１形体の収納箱１０１は、下面１０２、上面１０３、一対の側面１０４Ａ、一対の別の側面１０４Ｂによって構成される。ここで図７の展開図との対比をする。下面１０２は、底面パネル１１１によって構成される。上面１０３は、第１パネル１１４Ａ、マチパネル１１５Ａ、第２パネル１１６Ｂ、および、第１パネル１１４Ｂ、マチパネル１１５Ｂ、第２パネル１１６Ａによって構成される（なお、図１２（ｂ）では、マチパネル１１５Ｂ、第２パネル１１６Ａは、第１パネル１１４Ａの下側に重なっているため見えない）。一対の側面１０４Ａ，１０４Ａは、側面パネル１１２，１１２によって構成されている。一対の側面１０４Ｂ，１０４Ｂは、側面パネル１１３，１１３によって構成されている。なお、これらの下面１０２、上面１０３、側面１０４Ａ，１０４Ａ、側面１０４Ｂ，１０４Ｂの表面は、図９の展開図の裏面側が現れている。
【００５１】
図１２に示す第１形体の収納箱１０１は、差込部１１７Ａを切込部１１４ＢＸに差し込んだり、外したりすることで、上面１０３を自在に開閉することができる。このような構成の第１形体の収納箱１０１は、浅底タイプであるので、カタログや冊子などを底面パネル１１１上に載置して収納することができる。
【００５２】
次に、第１形体の収納箱１０１の折り方を変えて、第２形体の収納箱１０１´を形成する方法を説明する。まず、図１２の第１形体の収納箱１０１を開いて解体し、図９の展開図の状態とする。そして、左右の側面パネル１１２（およびこれと連続する第３パネル１２０、第５パネル１２３Ａ，１２３Ｂ、マチパネル１２１、第４パネル１２２）を罫線Ｋにおいて底面パネル１１１に向けて略１８０度折り畳む（すなわち、側面パネル１１２が底面パネル１１１に重なり合うように側面パネル１１２を折り畳む）。なお、連接パネルＲも罫線Ｋにおいて側面パネル１１３に向けて折り畳む（図１３（ａ））。
【００５３】
次に、左右の第３パネル１２０を罫線Ｋにおいて側面パネル１１２に対して略直角となるように折る（すなわち、第３パネル１２０が側面パネル１１２に対して起立するように折る。図１３（ｂ））。さらに、第５パネル１２３Ａ，１２３Ｂを罫線Ｋにおいて第３パネル１２０に向けて内側に略直角となるように折り、さらに、フック１２３ＡＣどうしを掛け合わせて第５パネル１２３Ａ，１２３Ａを連結し、フック１２３ＢＣどうしを掛け合わせて第５パネル１２３Ｂ，１２３Ｂを連結する（図１４（ａ））。
【００５４】
そして、側面パネル１１３，１１３を罫線Ｋにおいて底面パネル１１１に向けて略直角となるように折る（すなわち、側面パネル１１３，１１３が起立するように折る）。さらに、マチパネル１１５Ａを罫線Ｋにおいて内側に折るとともに、第２パネル１１６Ｂを罫線Ｋにおいて内側に略直角に折る。また、マチパネル１１５Ｂを罫線Ｋにおいて内側に折るとともに、第２パネル１１６Ａを罫線Ｋにおいて内側に略直角に折る（図１４（ｂ））。
【００５５】
そして、両方のマチパネル１２１，１２１を罫線Ｋにおいて第３パネル１２０に対して略直角となるように折るとともに、第４パネル１２２を罫線Ｋにおいてマチパネル１２１に対して略直角となるように折ることで、上面に開口Ｏを有する第２形体の収納箱１０１´が完成する（図１５）。なお、このとき、第４パネル１２２の突起１２２Ｐは、第２パネル１１６Ａの切り込みＣ１に係合させることで、第２パネル１１６Ａと第４パネル１２２の双方が開かないように規制する（図８（ａ）と同様）。
【００５６】
さらに、前述と同様に、両側の第５パネル１２３Ａ同士を連結する際には、一方の第５パネル１２３Ａのフック１２３ＡＣを他方の第５パネル１２３Ａのフック１２３ＡＣに上から掛け合わせるようにして掛け止める（図８（ｂ）と同様）。なお、第５パネル１２３Ｂについても同様である。
【００５７】
このようにして形成された第２形体の収納箱１０１´は、上面に開口Ｏを有し、かつ、深底タイプであるので、本や小物などを底面パネル１１１上に載置して、小型の本箱、小物用整理箱などとして活用することができる。また、第１形体の収納箱１０１と第２形体の収納箱１０１´とは、下面を共有していることが特徴である。すなわち、第１形体の収納箱１０１の下面としても、第２形体の収納箱１０１´の下面としても下面パネル１１を用いている。このため、たとえば、重量の重いものを収容するような場合には、下面パネル１１１のみを補強する（例えば、下面パネル１１１の厚みを増すなど）ことで、２つの異なる形体の収容箱を補強することができるという利点がある。
【００５８】
さらに、第２形体の収納箱１０１´では、側面１０４Ａ´の外側面を、側面パネル１１３および第１パネル１１４Ａ（または第１パネル１１４Ｂ）を用いて形成している。一方、側面１０４Ａ´の中心分を第５パネル１２３Ａ（または第５パネル１２３Ｂ）および、第２パネル１１６Ａ（第１パネル１１４Ｂ側）または第２パネル１１６Ｂ（第１パネル１１４Ａ側）を用いて形成している。
【００５９】
また、側面１０４Ｂ´の外側面を第３パネル１２０，１２０で形成し、内側面上部を第４パネル１２２で形成している。なお、側面パネル１１２，１１２は、底面パネル１１１上に畳み重ねることで、底面の一部を構成する。なお、これらの側面１０４Ａ´、側面１０４Ｂ´の表面は、図９の展開図の裏面側が現れている。
【００６０】
図１６には、この発明の収納箱の第３例の展開図を示す。なお、この収納箱の展開図は、１枚のブランク紙を所定の形に切り抜いて形成したものである。また、隣接する各パネルは一体に形成されている。
【００６１】
図１６の中央には収納箱の底面を構成する矩形の底面パネル２１１を備える。底面パネル２１１の長辺には、罫線Ｋを介して側面パネル２１３，２１３の長辺を連続して備える。底面パネル２１１の短辺には、罫線Ｋを介して側面パネル２１２，２１２の長辺を連続して備える。側面パネル２１２、側面パネル２１３はそれぞれ矩形に形成される。側面パネル２１３の長辺は、底面パネル２１１の長辺と同一長さであり、側面パネル２１２の長辺は、底面パネル２１１の短辺と同一長さである。また、側面パネル２１２、側面パネル２１３の短辺は同一長さである。底面パネル２１１の四隅には、連接パネルＲをそれぞれ備える。連接パネルＲは、中心角９０度の扇形に形成され、側面パネル２１２の短辺と側面パネル２１３の短辺にそれぞれ罫線Ｋを介して連続して備える。連接パネルＲの中央には、罫線ＫＲを設ける。
【００６２】
側面パネル２１３，２１３の別の長辺には、罫線Ｋを介して第１パネル２１４Ａ，２１４Ｂの長辺を連続して備える。第１パネル２１４Ａ，２１４Ｂは同一形状で、略矩形に形成される。第１パネル２１４Ａの中央部の左右には、縦方向に略コの字状に切り込みが形成され、差込部２１４ＡＸを備え、第１パネル２１４Ｂの中央部の左右には、縦方向に略コの字状に切り込みが形成され、差込部２１４ＢＸを備える。
【００６３】
第１パネル２１４Ａの別の長辺には、罫線Ｋを介してマチパネル２１５Ａの長辺を連続して備える。マチパネル２１５Ａは矩形に形成されるが、マチパネル２１５Ａの長辺は、第１パネル２１４Ａの長辺より短く形成される。マチパネル２１５Ａの別の長辺には、罫線Ｋを介して第２パネル２１６Ｂの長辺を連続して備える。第２パネル２１６Ｂは略６角形に形成される。その側辺の下端にはカギ欠き２１７Ａ，２１７Ａを備える（なお、第２パネル２１６Ｂの側辺に延設してフラップ部を設けてもよい。このフラップ部は、後述するように第２形体の収納箱２０１´を組み立てる際に、第３パネル２２０に沿って配置され、収納箱２０１´を補強するのに役立つ）。第２パネル２１６Ｂの下辺には、罫線Ｋを介して差込片２１９を備える。
【００６４】
一方、第１パネル２１４Ｂの別の長辺には、罫線Ｋを介してマチパネル２１５Ｂの長辺を連続して備える。なお、第１パネル２１４Ｂとマチパネル２１５Ｂとの間の罫線Ｋのほぼ中央付近には切り込みを形成して、切込部２１４ＢＹとする。マチパネル２１５Ｂは矩形に形成されるが、マチパネル２１５Ｂの長辺は、第１パネル２１４Ｂの長辺より短く形成される。マチパネル２１５Ｂの別の長辺には、罫線Ｋを介して第２パネル２１６Ａの長辺を連続して備える。第２パネル２１６Ａは矩形に形成される。第２パネル２１６Ａの両側部には、長辺を基端とした切り込みＣ１が形成される。切り込みＣ１は、第２パネル２１６Ａの短辺の半分程度かそれよりも短く形成される。切り込みＣ１に連続して（第２パネル２１６Ａの反対側の長辺に到達するように）罫線Ｋが形成される。なお、マチパネル２１５Ａ，２１５Ｂは備えず、第１パネル２１４Ａと第２パネル２１６Ｂ、第１パネル２１４Ｂと第２パネル２１６Ａとが連続するように構成してもよい。
【００６５】
側面パネル２１２，２１２の別の長辺には、それぞれ罫線Ｋを介して第３パネル２２０，２２０の長辺を連続して備える。第３パネル２２０は、矩形に形成される。第３パネル２２０の別の長辺には、罫線Ｋを介してマチパネル２２１の長辺を連続して備える。マチパネル２２１の別の長辺には、罫線Ｋを介して第４パネル２２２の長辺を連続して備える。第４パネル２２２は略矩形に形成されるが、その短辺の外端には矩形の突起２２２Ｐを備える（この突起２２２Ｐは、収納箱を組み立てる際に、第２パネル２１６Ａの切り込みＣ１、第２パネル２１６Ｂの切り欠き２１７Ａとそれぞれ係合するものである）。なお、マチパネル２２１は備えず、第３パネル２２０と第４パネル２２２とが連続するように構成してもよい。
【００６６】
第３パネル２２０の一方の短辺（側辺）には、罫線Ｋを介して第５パネル２２３Ａの短辺を連続して備える。第３パネル２２０の他方の短辺（側辺）には、罫線Ｋを介して第５パネル２２３Ｂの短辺を連続して備える。
【００６７】
なお、第３パネル２２０の略中央には略Ｃ字状の切り込みＸを形成して、フラップ２２０Ｘを形成する。また、第５パネル２２３Ａ，２２３Ｂには罫線Ｋと接するように、別の切り込みＹを形成し、係合突起２２３ＡＸ，２２３ＢＸを形成する。さらに、第１パネル２１４Ｂの（側面パネル２１３側の）罫線Ｋ近傍には、切込部２１３ＢＹを形成する。
【００６８】
次に、このような構成の展開図を組み立てて第１形体の収納箱２０１を形成する方法について説明する。まず、左右にある、第５パネル２２３Ａ，２２３Ｂを罫線Ｋにおいて第３パネル２２０に向けて折り畳む（図１７（ａ））。次に、左右の第３パネル２２０を罫線Ｋにおいて側面パネル２１２に向けて略直角となるように折るとともに、側面パネル２１２を罫線Ｋにおいて底面パネル２１１に向けて略直角となるように折る（図１７（ｂ））。
【００６９】
これによって、左右の第３パネル２２０は底面パネル２１１上で重なりあう。このとき、左右どちらの第３パネル２２０が上側となってもよい（なお、マチパネル２２１、第４パネル２２２は罫線Ｋにおいて折り曲げていない。したがって、これらは、第３パネル２２０と同一平面上にある）。このとき、連接パネルＲも、罫線Ｋにおいて側面パネル２１３に向けて略直角となるように折る。なお、左右の第３パネル２２０、マチパネル２２１、第４パネル２２２、第５パネル２２３Ａ，２２３Ｂは、第１形体の収納箱２０１の上面の内側部を構成する。
【００７０】
さらに、第１パネル２１４Ｂを罫線Ｋにおいて側面パネル２１３に向けて略直角となるように折るとともに、側面パネル２１３を罫線Ｋにおいて底面パネル２１１に向けて略直角となるように折る（図１８（ａ））。このとき、連接パネルＲは、罫線ＫＲが谷折りとなることによって２つ折りとなって箱内に収納される。次に、第１パネル２１４Ａを罫線Ｋにおいて側面パネル２１３に向けて略直角となるように折るとともに、側面パネル２１３を罫線Ｋにおいて底面パネル２１１に向けて略直角となるように折る（図１８（ｂ））。
【００７１】
これによって、第１パネル２１４Ａと第１パネル２１４Ｂとが底面パネル２１１の上方で重なりあう。このとき、第１パネル２１４Ａが第１パネル２１４Ｂの上側となる（なお、マチパネル２１５Ａ，２１５Ｂ、第２パネル２１６Ａ、第２パネル２１６Ｂは罫線Ｋにおいて折り曲げていない。したがって、これらは、第３パネル２２０と同一平面上にある）。そして、差込片２１９を罫線Ｋにおいて略直角となるように折り曲げて、切込部２１４ＢＹに差し込む。第１パネル２１４Ａ，２１４Ｂ、マチパネル２１５Ａ，２１５Ｂ、第２パネル２１６Ａ、第２パネル２１６Ｂは、第１形体の収納箱２０１の上面の外側部を構成する。
【００７２】
このようにして、第１形体の収納箱２０１が形成される（図１９（ａ），（ｂ））。第１形体の収納箱２０１は、下面２０２、上面２０３、一対の側面２０４Ａ、一対の別の側面２０４Ｂによって構成される。ここで図１２の展開図との対比をする。下面２０２は、底面パネル２１１によって構成される。上面２０３は、第１パネル２１４Ａ、マチパネル２１５Ａ、第２パネル２１６Ｂ、および、第１パネル２１４Ｂ、マチパネル２１５Ｂ、第２パネル２１６Ａによって構成される（なお、図１９（ａ）では、マチパネル２１５Ｂ、第２パネル２１６Ａは、第１パネル２１４Ａの下側に重なっているため見えない）。一対の側面２０４Ａ，２０４Ａは、側面パネル２１２，２１２によって構成されている。一対の側面２０４Ｂ，２０４Ｂは、側面パネル２１３，２１３によって構成されている。なお、これらの下面２０２、上面２０３、側面２０４Ａ，２０４Ａ、側面２０４Ｂ，２０４Ｂの表面は、図１６の展開図の裏面側が現れている。
【００７３】
図１９に示す第１形体の収納箱２０１は、差込片２１９を切込部２１４ＢＹに差し込んだり、外したりすることで、上面２０３を自在に開閉することができる。このような構成の第１形体の収納箱２０１は、浅底タイプであるので、カタログや冊子などを底面パネル１１上に載置して収納することができる。
【００７４】
次に、第１形体の収納箱２０１の折り方を変えて、第２形体の収納箱２０１´を形成する方法を説明する。まず、図１９の第１形体の収納箱２０１を開いて解体し、図１６の展開図の状態とする。そして、左右の側面パネル２１２（およびこれと連続する第３パネル２２０、第５パネル２２３Ａ，２２３Ｂ、マチパネル２２１、第４パネル２２２）を罫線Ｋにおいて底面パネル２１１に向けて折り畳む（すなわち、側面パネル２１２が底面パネル２１１に重なり合うように側面パネル２１２を折り畳む）。なお、連接パネルＲも罫線Ｋにおいて側面パネル２１３に向けて折り畳む（図２０（ａ））。
【００７５】
次に、左右の第３パネル２２０を罫線Ｋにおいて側面パネル２１２に対して略直角となるように折る（すなわち、第３パネル２２０が起立するように折る。図２０（ｂ））。さらに、第５パネル２２３Ａ，２２３Ｂを罫線Ｋにおいて第３パネル２２０に向けて略直角となるように折る（図２１（ａ））。なお、係合突起２２３ＡＸ，２２３ＢＸは、ミシン目Ｙから切り離し、第５パネル２２３Ａ，２２３Ｂとともには折り曲げない。そして、側面パネル２１３，２１３を罫線Ｋにおいて底面パネル２１１に向けて略直角となるように折る（すなわち、側面パネル２１３，２１３が起立するように折る）。
【００７６】
さらに、マチパネル２１５Ａを罫線Ｋにおいて内側に折るとともに、第２パネル２１６Ｂを罫線Ｋにおいて内側に略直角に折る。また、マチパネル２１５Ｂを罫線Ｋにおいて内側に折るとともに、第２パネル２１６Ａを罫線Ｋにおいて内側に略直角に折る（図２１（ｂ））。このとき、起立した第１パネル２１４Ａ，２１４Ｂの差込部２１４ＡＸ，２１４ＢＸに係合突起２２３ＡＸ，２２３ＢＸを差し込んで、係合突起２２３ＡＸ，２２３ＢＸをそれぞれ第１パネル２１４Ａ，２１４Ｂの外側に向けて貫通させる。これによって、第１パネル２１４Ａ，２１４Ｂと第３パネル２２０の２組の側面を略直角に確実に連結させることができる。
【００７７】
そして、両方のマチパネル２２１，２２１を罫線Ｋにおいて第３パネル２２０に対して略直角となるように折るとともに、第４パネル２２２を罫線Ｋにおいてマチパネル２２１に対して略直角となるように折ることで、上面に開口Ｏを有する第２形体の収納箱２０１´が完成する（図２２（ａ））。なお、このとき、第４パネル２２２の突起２２２Ｐは、第２パネル２１６Ａの切り込みＣ１に係合させることで、第２パネル２１６Ａと第４パネル２２２の双方が開かないように規制する（図８（ａ）と同様の構造）。
【００７８】
同様に、突起２２２Ｐを第２パネル２１６Ｂの切り欠き２１７Ａと係合させることで、第２パネル２１６Ｂと第４パネル２２２の双方が開かないように規制する。また、係合突起２２３ＡＸ，２２３ＢＸをそれぞれ第１パネル２１４Ａ，２１４Ｂの外側に向けて貫通させることで、第３パネル２２０と第１パネル２１４Ａ，２１４Ｂとが略直交した位置となることを補助する（図２２（ｂ））。なお、両側の第３パネル２２０の中央部に形成されたフラップ２２０Ｘを押し込むことで、切り込みＸに沿って開口部が形成される。この開口部は手を挿入するためのものであり、第２形体の収納箱２０１´を持ち上げるのを容易にするものである。
【００７９】
このようにして形成された第２形体の収納箱２０１´は、上面に開口Ｏを有し、かつ、深底タイプであるので、本や小物などを底面パネル２１１上に載置して、小型の本箱、小物用整理箱などとして活用することができる。また、第１形体の収納箱２０１と第２形体の収納箱２０１´とは、下面を共有していることが特徴である。すなわち、第１形体の収納箱２０１の下面としても、第２形体の収納箱２０１´の下面としても下面パネル２１１を用いている。このため、たとえば、重量の重いものを収容するような場合には、下面パネル２１１のみを補強する（例えば、下面パネル２１１の厚みを増すなど）ことで、２つの異なる形体の収容箱を補強することができるという利点がある。
【００８０】
さらに、第２形体の収納箱２０１´では、側面２０４Ａ´の外側面を、側面パネル２１３および第１パネル２１４Ａ（または第１パネル２１４Ｂ）を用いて形成している。一方、側面２０４Ａ´の中心分を第５パネル２２３Ａ（または第５パネル２２３Ｂ）および、第２パネル２１６Ａ（第１パネル２１４Ｂ側）または第２パネル２１６Ｂ（第１パネル２１４Ａ側）を用いて形成している。
【００８１】
また、側面２０４Ｂ´の外側面を第３パネル２２０，２２０で形成し、内側面上部を第４パネル２２２で形成している。なお、側面パネル２１２，２１２は、底面パネル２１１上に畳み重ねることで、底面の一部を構成する。なお、これらの側面２０４Ａ´、側面２０４Ｂ´の表面は、図１２の展開図の裏面側が現れている。
【符号の説明】
【００８２】
１，１０１，２０１  第１形体の収納箱
１´，１０１´，２０１´  第２形体の収納箱
２，１０２，２０２  下面
３，１０３，２０３  上面
４Ａ，４Ｂ，１０４Ａ，１０４Ｂ，２０４Ａ，２０４Ｂ，４Ａ´，４Ｂ´，１０４Ａ´，１０４Ｂ´，２０４Ａ´，２０４Ｂ´  側面
１１，１１１，２１１  底面パネル
１２，１３，１１２，１１３，２１２，２１３  側面パネル
１４Ａ,１４Ｂ，１１４Ａ，１１４Ｂ，２１４Ａ，２１４Ｂ  第１パネル
１５Ａ，１５Ｂ，２１，１１５Ａ，１１５Ｂ，１２１，２１５Ａ，２１５Ｂ，２２１  マチパネル
１６Ａ，１６Ｂ，１１６Ａ，１１６Ｂ，２１６Ａ，２１６Ｂ  第２パネル
１７Ａ，２１７Ａ  切り欠き
１９，２１９  差込片
２０，１２０，２２０  第３パネル
２２，１２２，２２２  第４パネル
２３Ａ，２３Ｂ，１２３Ａ，１２３Ｂ，２２３Ａ，２２３Ｂ  第５パネル
２３ＡＣ，２３ＢＣ，１２３ＡＣ，１２３ＢＣ  フック（掛止部）
２１４ＡＸ，２１４ＢＸ  差込部
２２０Ｘ  フラップ
２２３ＡＸ，２２３ＢＸ  係合突起
Ｏ  開口
【図１】
2012030827.tif 000003
【図２】
2012030827.tif 000004
【図３】
2012030827.tif 000005
【図４】
2012030827.tif 000006
【図５】
2012030827.tif 000007
【図６】
2012030827.tif 000008
【図７】
2012030827.tif 000009
【図８】
2012030827.tif 000010
【図９】
2012030827.tif 000011
【図１０】
2012030827.tif 000012
【図１１】
2012030827.tif 000013
【図１２】
2012030827.tif 000014
【図１３】
2012030827.tif 000015
【図１４】
2012030827.tif 000016
【図１５】
2012030827.tif 000017
【図１６】
2012030827.tif 000018
【図１７】
2012030827.tif 000019
【図１８】
2012030827.tif 000020
【図１９】
2012030827.tif 000021
【図２０】
2012030827.tif 000022
【図２１】
2012030827.tif 000023
【図２２】
2012030827.tif 000024